(57)【要約】【課題】記録媒体に記録されたデータの識別情報（サムネイル、アイコン、ファイル名、ファイルサイズ等）を一覧印刷したプリント注文票を発行することである。【解決手段】デジタルフォトサービスを提供する店舗に設置された注文票発行機１は、メディア入力部１３に、客が持参した記録媒体が挿入されると、当該記録媒体に記録された各画像データを読み取り、当該各画像データのサムネイル画像を用いて、当該各画像データのプリント注文を行うための注文票データを作成し、プリント出力部１５から、作成された注文票データに基づいて、サムネイル画像の一覧が示された注文票を印刷出力する。【選択図】　　図１
2004046443.tif 000002
【特許請求の範囲】
【請求項１】
コンピュータが読取可能な記録媒体に記録されたデータを読み取る読取手段と、
前記読取手段により読み取られた前記データの識別情報を用いて、当該データのプリント注文を行うための注文票データを作成する作成手段と、
前記作成手段により作成された注文票データに基づいて注文票を印刷出力する出力手段と、
を備えることを特徴とする注文票発行装置。
【請求項２】
前記記録媒体に記録されたデータは画像データを含み、
前記読取手段は、前記記録媒体に記録された画像データを読み取り、
前記作成手段は、前記識別情報として、前記読取手段により読み取られた画像データのサムネイル画像を用いて前記注文票データを作成することを特徴とする請求項１記載の注文票発行装置。
【請求項３】
前記記録媒体に記録されたデータは文書データを含み、
前記読取手段は、前記記録媒体に記録された文書データを読み取り、
前記作成手段は、前記識別情報として、前記読取手段により読み取られた文書データのアイコン及び文書名を用いて前記注文票データを作成することを特徴とする請求項１記載の注文票発行装置。
【発明の詳細な説明】
【０００１】
【発明の属する技術分野】
本発明は、プリント注文のための注文票を発行する注文票発行装置に関する。
【０００２】
【従来の技術】
ＡＰＳ（Ａｄｖａｎｃｅｄ　Ｐｈｏｔｏ　Ｓｙｓｔｅｍ）では、フィルムに撮影された画像の一覧をプリントするインデックスプリントを行うサービスを提供している。このインデックスプリントは、再プリント注文やフィルムの撮影画像の確認等に役立っている。最近では、写真画像のデジタル化に伴い、メモリカード等の記録媒体に記録された画像データのプリントを行うデジタルフォトサービスが展開されており、このようなデジタルフォトサービスにおいても、インデックスプリントが行われている。
【０００３】
【発明が解決しようとする課題】
しかしながら、上述のインデックスプリントは、再プリント注文時や撮影画像の確認には利用されていたが、実用的な他の利用方法がなく、利便性に欠けていた。例えば、メモリカード等の記録媒体に記録された画像のプリント注文を行う場合、注文受付端末やインターネットのブラウザでのみ注文が可能であり、インデックスプリントを用いたプリント注文を行うことができなかった。
【０００４】
本発明の課題は、インデックスプリントの実用的な利用方法の一つとして、記録媒体に記録されたデータの識別情報（サムネイル、アイコン、ファイル名、ファイルサイズ等）を一覧印刷したプリント注文票を発行することである。
【０００５】
【課題を解決するための手段】
請求項１記載の発明は、
コンピュータが読取可能な記録媒体に記録されたデータを読み取る読取手段と、
前記読取手段により読み取られた前記データの識別情報を用いて、当該データのプリント注文を行うための注文票データを作成する作成手段と、
前記作成手段により作成された注文票データに基づいて注文票を印刷出力する出力手段と、
を備えること特徴としている。
【０００６】
請求項１記載の発明によれば、記録媒体に記録されたデータの識別情報が印刷された注文票が発行可能になり、注文客は、発行された注文票に注文内容を記入する際、プリント注文を行うデータを容易に確認することができる。特に、記録媒体に複数のデータが記録されている場合、各データの識別情報の一覧が印刷された注文票が発行可能になり、注文票発行装置の利便性を一層高めることができる。
【０００７】
請求項２記載の発明は、請求項１記載の発明において、
前記記録媒体に記録されたデータは画像データを含み、
前記読取手段は、前記記録媒体に記録された画像データを読み取り、
前記作成手段は、前記識別情報として、前記読取手段により読み取られた画像データのサムネイル画像を用いて前記注文票データを作成することを特徴としている。
【０００８】
請求項２記載の発明によれば、記録媒体に記録された画像データのサムネイル画像が印刷された注文票を発行することで、注文客は、発行された注文票に注文内容を記入する際、プリント注文を行う画像を容易に確認することができる。
【０００９】
請求項３記載の発明は、請求項１記載の発明において、
前記記録媒体に記録されたデータは文書データを含み、
前記読取手段は、前記記録媒体に記録された文書データを読み取り、
前記作成手段は、前記識別情報として、前記読取手段により読み取られた文書データのアイコン及び文書名を用いて前記注文票データを作成することを特徴としている。
【００１０】
この請求項３記載の発明によれば、記録媒体に記録された文書データの文書名やアイコンが印刷された注文票を発行することで、注文票発行装置の利便性を一層高めることができる。
【００１１】
【発明の実施の形態】
以下、図を参照して本発明の実施の形態を詳細に説明する。
まず、構成を説明する。
【００１２】
図１は、本発明の注文票発行装置を適用した注文票発行機１の外観図である。注文票発行機１は、プリントサービスを提供する写真専門店や取次店、コンビニエンスストア、ドラッグストア等に設置され、図１に示すように、前面に、表示部１１、キー入力部１２、メディア入力部１３、メディア出力部１４、プリント出力部１５を備えている。各部の構成説明は後述する。
【００１３】
なお、図１に示した注文票発行機１では、表示部１１、キー入力部１２、メディア入力部１３、メディア出力部１４、プリント出力部１５が、注文票発行機１の本体に一体的に構成されているが、これに限定されず、何れか１つ以上を別体として設けてもよい。
【００１４】
次に、図２のブロック図を参照して、注文票発行機１の内部構成について説明する。注文票発行機１は、図２に示すように、制御部１０、表示部１１、キー入力部１２、メディア入力部１３、メディア出力部１４、プリント出力部１５、記憶部１６、通信部１７により構成され、各部は、バス１８により接続されている。
【００１５】
制御部１０は、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ
Ｍｅｍｏｒｙ）、ＲＯＭ（Ｒｅａｄ　Ｏｎｌｙ　Ｍｅｍｏｒｙ）等により構成される。
【００１６】
制御部１０内のＣＰＵは、ＲＯＭに格納された注文票発行機１用の各種プログラムの中から、指定されたプログラムをＲＡＭ内のワークエリアに展開し、当該プログラムに従った処理を実行する。具体的には、制御部１０は、メディア入力部１３にメディアが挿入されると、当該メディアに記録されたデータのプリント注文票を発行するための注文票発行処理を実行する（図４参照）。
【００１７】
制御部１０内のＲＡＭは、ＣＰＵにより実行される処理プログラム等を、ＲＡＭ内のプログラム格納領域に展開するとともに、入力データや上記処理プログラムが実行される際に生じる処理結果等をワークエリアに格納する。
【００１８】
制御部１０内のＲＯＭは、注文票発行機１で実行可能なシステムプログラム、当該システムプログラムで実行可能な注文票発行処理プログラム及び注文票発行処理プログラムで利用されるデータ等を格納している。これらのプログラムは、コンピュータが読み取り可能なプログラムコードの形でＲＯＭに格納されている。なお、システムプログラム以外の実行可能な注文票発行処理プログラム等やデータ等を、記憶部１６が格納するようにしてもよい。
【００１９】
なお、この制御部１０は、特許請求の範囲における読取手段及び作成手段としての機能を有する。
【００２０】
表示部１１は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、制御部１０から入力される表示信号に従って、所要の表示処理を行う。表示部１１における表示は、グラフィックを用いてもよいし、テキストのみを用いてもよい。また、グラフィックとテキストを併用して表示するようにしてもよい。更に、注文票発行機１が単一動作を行うものである場合、表示部１１を備えないようにしてもよい。
【００２１】
キー入力部１２は、テンキー、カーソルキー、各種ファンクションキー等を有し、キーの押下信号による操作信号を制御部１０に出力する。キー入力部１２におけるキーは、１箇所に集中してレイアウトされていてもよいし、複数箇所に分散されてレイアウトされていてもよい。また、キー入力部１２は、表示部１１のＬＣＤと一体になったタッチパネルを含んでいてもよい。
【００２２】
メディア入力部１３は、デジタルカメラ用のメディアであるメモリスティック（登録商標）、スマートメディア（登録商標）、コンパクトフラッシュ（登録商標）、マルチメディアカード（登録商標）、ＳＤメモリカード（登録商標）等のメモリカードを着脱可能に備えている。以下、メディア入力部１３に装填されたメディアをメディアＡと称す。
【００２３】
メディア出力部１４は、ＣＤ−Ｒ、ＤＶＤ−Ｒ、ＭＯ（Ｍａｇｎｅｔｏ　Ｏｐｔｉｃａｌ　Ｄｉｓｋ）、ＰＣカード、メモリスティック（登録商標）、スマートメディア（登録商標）、コンパクトフラッシュ（登録商標）、マルチメディアカード（登録商標）等、データの書き込みが可能なメディアを着脱可能に備えており、制御部１０からの制御信号に従って、メディア入力部１３に装填されたメディアＡに記録されたデータの書き込みを行う。メディア出力部１４に装填されるメディアは、メディアＡの記録内容を書き込んで、客に持ち帰ってもらうためのメディアである。
【００２４】
また、メディア出力部１４は、必要に応じて、メディアＡの記録内容を回覧するためのソフトウェア、注文票を客のパーソナルコンピュータで出力するためのソフトウェア、注文票のイメージファイル、インターネットを介してプリント注文を行うためのソフトウェア等を、メディア出力部１４に装填されたメディアに同時に書き込むこともできる。更に、メディア出力部１４は、装填されたメディアに、客のデータ以外の必要なデータを予め書き込むこともできる。
【００２５】
プリント出力部１５は、給紙部（図示せず）と排紙部（図示せず）等を備え、制御部１０からの制御信号に従って、印刷用紙にプリント注文票を印刷出力する。プリント出力部１５における印刷方式は、インクジェット方式、熱転写方式、レーザー方式、昇華型方式、ＴＡ方式等の何れの方式も使用可能である。また、印刷用紙は、連続用紙（ロール紙）や単票用紙（カット紙）の何れも使用可能である。また、印刷用紙は、どの注文にも共通する必要事項が予め印刷されているのを使用してもよい。なお、プリント出力部１５は、特許請求の範囲における出力手段としての機能を有する。
【００２６】
記憶部１６は、ＨＤ（Ｈａｒｄ　Ｄｉｓｋ）等を備え、後述の注文票発行処理（図４参照）において、メディア入力部１３に装填されたメディアＡの記録内容、注文票発行に必要な各種プログラムやデータを格納する。このプログラムやデータは、通信部１７を介して外部から書き換えることが可能である。
【００２７】
また、記憶部１６は、メディア毎に割り当てられた注文番号を記憶した注文番号テーブル１６ａを格納している。注文番号テーブル１６ａは、図３（ａ）に示すように、メディア毎に「内部システム用Ｎｏ．」と「注文票出力用Ｎｏ．」の各項目を対応付けて記憶している。注文番号テーブル１６ａの各項目に記憶される注文番号は、後述の注文票発行処理（図４参照）において割り当てられる。
【００２８】
注文番号テーブル１６ａにおいて、「内部システム用Ｎｏ．」項目は、プリントサービスを提供する全店舗（全国の写真専門店や取次店等）で適用されるユニークな番号を記憶する。
【００２９】
また、注文番号テーブル１６ａにおいて、「注文票出力用Ｎｏ．」項目は、プリントサービスを提供する店舗毎に適用される番号を記憶する。この「注文票出力用Ｎｏ．」項目で記憶される番号は、注文票発行機１により発行される注文票上に実際に印刷される。この「注文票出力用Ｎｏ．」項目に記憶された番号は、図３（ａ）に示すように、「内部システム用Ｎｏ．」項目で設定される番号に比べて桁数が少なく、例えば、４、５桁程度の数字が割り当てられ、客や店員が注文番号の確認や指定を容易に行えるようになっている。注文票出力用Ｎｏ．は数字が好ましいが、これに限定されず、アルファベット等を組み合わせてもよい。
【００３０】
更に、記憶部１６は、メディア入力部１３に装填されたメディアＡのディレクトリ構造と、フラットなディレクトリ構造との対応関係を示すディレクトリ構造対応テーブル１６ｂを格納する。このディレクトリ構造対応テーブル１６ｂは、後述の注文票発行処理（図４参照）において作成される。
【００３１】
ディレクトリ構造対応テーブル１６ｂは、図３（ｂ）に示すように、「Ｎｏ．」、「パス名」、「ファイル名（フラット）」の各項目を対応付けて記憶している。このディレクトリ構造対応テーブル１６ｂにおいて、「Ｎｏ．」は、メディアＡ内のファイル毎に付与されたファイル番号を示し、これらのファイル番号は注文票上に印刷出力されることになる（図６参照）。図６に示した注文票αにおいては、この「Ｎｏ．」項目で設定されたファイル番号は、サムネイル画像毎に付与された番号Ｎｏ．１、Ｎｏ２、Ｎｏ．３、…に対応する。
【００３２】
また、ディレクトリ構造対応テーブル１６ｂにおいて、「パス名」項目は、メディアＡ内の各ファイルのディレクトリパスを示し、「ファイル名（フラット）」項目は、「パス名」項目の各ファイルを特定するために制御部１０により付与されたファイル名を示している。この「ファイル名（フラット）」項目で設定されるファイル名は、メディアＡのディレクトリ構造をフラットなディレクトリ構造に構築し直した場合のファイル名である。
【００３３】
なお、上述では、記憶部１６は、メディアＡのディレクトリ構造をフラットなディレクトリ構造に変えて、メディアＡ内の各ファイルの格納を行うようにしているが、メディアＡのディレクトリ構造を保持して格納するようにしてもよい。また、メディアＡ内の各ファイルの格納に際し、ディレクトリ構造を保持するか否かをキー入力部１２から指定できるようにしてもよい。また、上述では、記憶部１６が、メディアＡ内の各ファイルを格納したが、後述の通信部１７を介して外部機器内の記憶部に格納するようにしてもよい。
【００３４】
通信部１７は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信回線を介して、通信ネットワークに接続される外部機器（店舗に設置された他の注文票発行機やパーソナルコンピュータ、外部のサーバ等）との通信を行うための通信制御を行う。
【００３５】
次に、本実施の形態の動作を説明する。
図４に示したフローチャートを参照して、注文票発行機１により実行される注文票発行処理について説明する。
【００３６】
ＣＤ−Ｒがメディア出力部１４に装填され、客が持参したメディアＡがメディア入力部１３に挿入されると（ステップＳ１）、制御部１０は、メディアＡに記録されたデータの読み込みを開始し、表示部１１に、「ＣＤ−Ｒを作成しますか？」を表示させ、メディアＡに記録されたデータをメディア出力部１４に装填されたＣＤ−Ｒに書き込むか否かの指定を待機する（ステップＳ２）。
【００３７】
ステップＳ２において、キー入力部１２により、ＣＤ−Ｒの作成が指定されると（ステップＳ２；ＹＥＳ）、制御部１０は、読み込んだメディアＡ内の記録内容をメディア出力部１４に出力し（ステップＳ３）、当該記録内容をメディア出力部１４に装填されたＣＤ−Ｒに書き込ませる。ステップＳ２において、ＣＤ−Ｒの作成が指定されなければ（ステップＳ２；ＮＯ）、制御部１０は、後述のステップＳ４に移行する。
【００３８】
次いで、制御部１０は、メディアＡ内の記録内容を記憶部１６に出力し、当該記録内容の書き込みを開始する（ステップＳ４）。記憶部１６への書き込みに際して、制御部１０は、メディアＡに対して注文番号（内部システム用Ｎｏ．及び注文票出力用Ｎｏ．）を割り当て、その割り当てた注文番号を注文番号テーブル１６ａに格納する。また、制御部１０は、メディアＡに対応するディレクトリ構造対応テーブル１６ｂを作成し、記憶部１６に格納する。
【００３９】
以下では、メディアＡに割り当てられた注文番号のうち、内部システム用Ｎｏ．をＩＤ１（ＩＤ１＝０００１−２００２０６０５１９４５１３）、注文票出力用Ｎｏ．を「４８２５」とする（図３（ａ）の上段参照）。
【００４０】
また、制御部１０は、メディアＡ用のディレクトリ構造対応テーブル１６ｂを作成する。このディレクトリ構造対応テーブル１６ｂの作成において、制御部１０は、まず、メディアＡ内の各ファイルにファイル番号を付与する。また、制御部１０は、メディアＡのディレクトリ構造が、図５（ａ）に示すような階層構造を有する場合、メディアＡ内のファイル毎に、ファイルを特定するファイル名を付与し、階層的なディレクトリ構造をフラットなディレクトリ構造（図５（ｂ））に変える。
【００４１】
そして、制御部１０は、メディアＡ内のファイル毎に、上記で付与したファイル番号（Ｎｏ．）、階層的なディレクトリ構造におけるディレクトリパス、フラットなディレクトリ構造におけるファイル名（フラット）を対応付けたディレクトリ構造対応テーブル１６ｂ（図５（ｃ））を作成する。記憶部１６は、図５（ｂ）に示したフラットなディレクトリ構造の状態で、メディアＡ内の各ファイルを格納する。
【００４２】
図５（ａ）に示した階層的なディレクトリ構造では、フォルダ０００１及び０００２に、同一ファイル名のファイル００１．ＪＰＧ及び００２．ＪＰＧが格納されていたが、図５（ｃ）に示したディレクトリ構造対応テーブル１６ｂによると、フォルダ０００１内の００１．ＪＰＧ、００２．ＪＰＧには、それぞれ、ファイル名００１．ＪＰＧ、００２．ＪＰＧが付与され、フォルダ０００２内の００１．ＪＰＧ、００２．ＪＰＧには、それぞれ、ファイル名００３．ＪＰＧ、００４．ＪＰＧが付与されている。このように、メディアＡ内の各ファイルに異なるファイル名が付与されることで、各々のファイルが特定可能となっている。
【００４３】
なお、メディアＡの記録内容に、画像ファイルや文書ファイル以外のアプリケーションファイル（拡張子がＥＸＥやＣＯＭ等のファイル）等が含まれている場合、制御部１０は、これらのアプリケーションファイルを除き、アプリケーションファイル以外の各データに対して、フラットなディレクトリ構造におけるファイル名を付与し、記憶部１６に格納する。ここで、文書ファイルとは、例えば、各種ワープロソフトで作成された文書、ＨＴＭＬ文書、ＰＤＦフォーマット等で文書が記載されたファイルである。
【００４４】
ステップＳ４におけるデータの書き込み後、制御部１０は、記憶部１６に書き込まれたデータに基づいて、注文票データの作成を行う（ステップＳ５）。この注文票データの作成において、制御部１０は、ステップＳ４で記憶部１６に書き込まれた各画像ファイルに対しては、注文票に画像の一覧印刷を行うため、画像ファイル毎にサムネイル画像を作成する。また、ステップＳ４で記憶部１６に書き込まれた文書ファイルに対しては、文書ファイル毎に、予め決められたアイコンを割り当てる。
【００４５】
次いで、制御部１０は、ステップＳ５で作成された注文票データに基づいて、プリント出力部１５から注文票を印刷出力し（ステップＳ６）、本注文票発行処理を終了する。
【００４６】
図６に、メディアＡの記録内容が全て画像ファイルから構成される場合の注文票αの例を示す。注文票αは、図６に示すように、上部の左側には、「受付日時」、「注文Ｎｏ．」、「お名前」、「ＴＥＬ」の各項目が設けられ、上部の右側には、「有効期間」、「全注文」、「取次店」、「ＴＥＬ」、「住所」の各項目が設けられている。
【００４７】
注文票α上部の「受付日時」項目には、プリント注文を受け付けた日時として注文票αを発行した日時が印刷され、「注文Ｎｏ．」項目には、注文番号テーブル１６ａ（図３（ａ））の注文票出力用Ｎｏ．に設定された番号が印刷される。メディアＡの場合、内部システム用Ｎｏ．がＩＤ１（ＩＤ１＝０００１−２００２０６０５１９４５１３）であることから、「注文Ｎｏ．」項目には、４８２５が印刷される（図３（ａ）の上段参照）。なお、注文Ｎｏ．をバーコード化したものを併記するようにしてもよい。また、注文票α上部左側の「お名前」項目及び「ＴＥＬ」項目には、それぞれ、プリント注文をする客の氏名、電話番号が記入可能な空欄が設けられている。
【００４８】
注文票α上部右側の「有効期間」項目には、上記の受付日時に受け付けたプリント注文の有効期間が印刷される。また、「全注文」項目には、プリント注文枚数の総数が記入可能な空欄が設けられている。また、注文票α上部右側の「取次店」項目、「ＴＥＬ」項目及び「住所」項目には、それぞれ、プリント注文を受け付けた店舗の名前（取次店名）、当該店舗の電話番号、当該店舗の住所が印刷される。
【００４９】
更に、注文票αには、インデックスプリントのように、メディアＡに記録された画像データのサムネイル画像が一覧印刷され、サムネイル画像毎に、ファイル番号が印刷されている。また、サムネイル画像の下部には、プリントサイズ（Ｌ、２Ｌ、他）の選択欄及びＣＤ−Ｒへの書き込みの有無を指定する欄が設けられるとともに、プリント枚数が記入可能な空欄が設けられている。ここで、サムネイル画像毎に示されるファイル番号（Ｎｏ．１、Ｎｏ．２、…）は、メディアＡ用のディレクトリ構造対応テーブル１６ｂ（図５（ｃ））の「Ｎｏ．」項目において設定された番号である。なお、注文票αに、バーコード化されたファイル番号が併記されるようにしてもよい。注文票αの最下部には、注文票αによる注文を受け付けるＦＡＸ番号、電話番号及びＵＲＬ（Ｕｎｉｆｏｒｍ　Ｒｅｓｏｕｒｃｅ　Ｌｏｃａｔｏｒ）が印刷されている。
【００５０】
なお、注文票αに、地域のお知らせや、各種サービスを提供する店舗の広告等が印刷されるようにしてもよい。また、図６の注文票αの最下部右側に示したように、必要であれば、プリントを受け取りが可能な受取店舗を複数印刷し、プリントを受け取る店舗を指定するためのチェックボックスを設けるようにしてもよい。
【００５１】
図７に、文書ファイルが記録されたメディアＢのディレクトリ構造（図７（ａ））と、このメディアＢの記録内容に基づいて発行された注文票β（図７（ｂ））の例を示す。このメディアＢの場合、拡張子がＥＸＥのアプリケーションファイル００１．ＥＸＥ以外のファイルが記憶部１６に格納され、図７（ｂ）に示すように、００１．ＥＸＥ以外のファイルに対応するアイコンが注文票β上に印刷出力される。
【００５２】
注文票βでは、メディアＢに記録された文書ファイルのアイコンが一覧印刷され、文書ファイル毎に、ファイル番号（Ｎｏ．１、Ｎｏ．２、…）が印刷されている。なお、注文票βに、バーコード化されたファイル番号が併記されるようにしてもよい。文書ファイルの場合、アイコンのみでは各ファイルを識別できないため、各アイコンの下部には、該当文書ファイルのファイル名が印刷される。また、ファイル名の下部には、プリント部数が記入可能な空欄が設けられている。なお、一つのメディアに画像ファイルと文書ファイルが混在している場合は、同一注文Ｎｏ．の注文票に、画像ファイルのサムネイル画像と、文書ファイルのアイコンが併せて印刷されることになる。
【００５３】
客は、上述のようにして発行された注文票に、名前、電話番号、プリントサイズ、プリント枚数等の必要事項を記入し、プリント注文することになる。プリント注文は、店頭で行ってもよいが、店舗から離れた場所から電話やインターネット経由等で行うようにしてもよい。プリント注文を受けた店舗側は、注文票上の注文Ｎｏ．等に基づいて、記憶部１６に格納されたデータから、プリントすべきデータを特定し、プリント処理を実行することになる。
【００５４】
以上のように、本実施の形態の注文票発行機１によれば、客が持参したメディアが挿入されると、自動的に当該メディアに記録されたデータを読み取り、当該データのプリント注文を行うための注文票を自動的に発行できるようにしたことにより、注文票を効率的に発行することができる。また、客は、店員の手を借りることなく注文票を取得することができる。
【００５５】
また、画像データのプリント注文を行うための注文票には、図６に示すように、インデックスプリントのように、サムネイル画像が一覧印刷されることで、客は、画像を確認しながら、注文内容（プリントサイズ、プリント枚数）を記入することができる。また、プリント注文票にインデックスプリントを使用することで、インデックスプリントの有効利用を図ることができる。
【００５６】
更に、注文票に印刷される「注文Ｎｏ．」が、４、５桁程度の簡易な数字であるため、実際にプリント注文を行う際、客や店員は、注文Ｎｏ．を容易に確認することができる。従って、例えば、注文票発行機１により発行された注文票を用いて、店舗から離れたところから電話等で注文する際などは、客は、この４、５桁程度の注文Ｎｏ．を指定すればよく、プリント注文がし易くなる。
【００５７】
また、客が持参したメディアに記録されたデータを、記憶部１６又は外部機器の記憶部に記憶させることで、客は、画像データが記録されたメディアを店舗に預ける必要がなくなる。
【００５８】
更に、メディア出力部１４に装填されたＣＤ−Ｒ等に、メディアＡのデータを記録可能にすることで、客が持参したメディアＡを用いて注文票を発行する必要がなくなり、メディアＡのデータが消去される等の事故を防ぐことができる。また、メディア出力部１４に装填されたＣＤ−Ｒ等にメディアＡのバックアップをとることで、メディアＡのデータを消去して、メディアＡを再利用することができるとともに、再プリント時は、当該ＣＤ−Ｒを用いて簡単に注文を行うことができる。
【００５９】
なお、本実施の形態における記述内容は、本発明の趣旨を逸脱しない範囲で適宜変更可能である。
【００６０】
例えば、本実施の形態における注文票発行機１は、客が持参したメディアの記録内容をＣＤ−Ｒ等に書き込むメディア出力部１４を備えていたが、このメディア出力部１４を搭載していなくても、本発明の注文票発行装置は適用可能である。メディア出力部１４を搭載していない注文票発行機の場合、図４のフローチャートにおけるステップＳ２及びＳ３は不要となる。
【００６１】
【発明の効果】
請求項１記載の発明によれば、記録媒体に記録されたデータの識別情報が印刷された注文票が発行可能になり、注文客は、発行された注文票に注文内容を記入する際、プリント注文を行うデータを容易に確認することができる。特に、記録媒体に複数のデータが記録されている場合、各データの識別情報の一覧が印刷された注文票が発行可能になり、注文票発行装置の利便性を一層高めることができる。
【００６２】
請求項２記載の発明によれば、記録媒体に記録された画像データのサムネイル画像が印刷された注文票を発行することで、注文客は、発行された注文票に注文内容を記入する際、プリント注文を行う画像を容易に確認することができる。
【００６３】
請求項３記載の発明によれば、記録媒体に記録された文書データの文書名やアイコンが印刷された注文票を発行することで、注文票発行装置の利便性を一層高めることができる。
【図面の簡単な説明】
【図１】本発明の注文票発行装置を適用した注文票発行機１の外観図。
【図２】本実施の形態の注文票発行機１の内部構成を示すブロック図。
【図３】記憶部１６に記憶された注文番号テーブル１６ａのデータ構成と、ディレクトリ構造対応テーブル１６ｂのデータ構成を示す図。
【図４】注文票発行機１により実行される注文票発行処理を示すフローチャート。
【図５】メディア入力部１３に装填されたメディアＡに記録されたデータの階層的なディレクトリ構造と（同図（ａ））、フラットなディレクトリ構造（同図（ｂ））と、ディレクトリ構造対応テーブル１６ｂ（同図（ｃ））を示す図。
【図６】注文票発行機１により発行される注文票αを示す図。
【図７】文書ファイルが記録されたメディアＢのディレクトリ構造（同図（ａ））と、注文票発行機１により発行される注文票β（同図（ｂ））を示す図。
【符号の説明】
１　　注文票発行機
１０　制御部
１１　表示部
１２　キー入力部
１３　メディア入力部
１４　メディア出力部
１５　プリント出力部
１６　記憶部
１６ａ　注文番号テーブル
１６ｂ　ディレクトリ構造対応テーブル
１７　通信部
１８　バス
α、β　　注文票
【図１】
2004046443.tif 000003
【図２】
2004046443.tif 000004
【図３】
2004046443.tif 000005
【図４】
2004046443.tif 000006
【図５】
2004046443.tif 000007
【図６】
2004046443.tif 000008
【図７】
2004046443.tif 000009